(57)【要約】【課題】  簡単な構造で制御機器を保護する。【解決手段】  制御機器１０を保管する保管室３と、制御機器１０を上方から覆うように被せることにより内部空間に収容し、内部空間に存在する空気により内部空間への水の進入を阻止するように形成された保護カバー２とを有し、保護カバー２は、保管室３が冠水したときの浮力以上の重量に設定されている。【選択図】図１
2005327759.tif 000002
【特許請求の範囲】
【請求項１】
制御機器を保管する保管室と、
前記制御機器を上方から覆うように被せることにより内部空間に収容し、前記内部空間に存在する空気により前記内部空間への水の進入を阻止するように形成された保護カバーとを有し、
前記保護カバーは、前記保管室が冠水したときの浮力以上の重量に設定されていることを特徴とする制御機器の地下設置構造。
【請求項２】
制御機器を保管する保管室と、
前記制御機器を上方から覆うように被せることにより内部空間に収容し、前記内部空間に存在する空気により前記内部空間への水の進入を阻止するように形成された保護カバーとを有し、
前記保護カバーは、前記制御機器の収容時に前記制御機器に連結され、前記制御機器との合計重量が、前記保管室が冠水したときの浮力以上の重量に設定されていることを特徴とする制御機器の地下設置構造。
【請求項３】
前記保管室が、
排水する排水手段を有していることを特徴とする請求項１又は２に記載の制御機器の地下設置構造。
【請求項４】
前記排水手段が、
水が排水方向とは逆に流れることを防止する逆流防止手段を有していることを特徴とする請求項３に記載の制御機器の地下設置構造。
【請求項５】
前記保管室が、
密閉されていることを特徴とする請求項１〜４の何れか１項に記載の制御機器の地下設置構造。
【請求項６】
前記保護カバーが固定されていることを特徴とする請求項１〜５の何れか１項に記載の制御機器の地下設置構造。
【請求項７】
前記制御機器が、
前記保護カバーの内部空間に存在する空気により前記内部空間への水の進入を阻止している位置より高い位置に設置されていることを特徴とする請求項１〜６の何れか１項に記載の制御機器の地下設置構造。
【発明の詳細な説明】
【技術分野】
【０００１】
本発明は、街路灯等を制御する制御機器を地下に設置する制御機器の地下設置構造に関するものである。
【背景技術】
【０００２】
特許文献１は、市街地や公園等に設置されている、発電手段を備える街路灯のポール内に、発電機によって発電された電力を蓄えておく充電手段を埋め込むことでコンパクトにして、場所をとらず、かつ、景観を損なわない街路灯が開示されている。しかしながら、発電機が複雑になり、それに伴い、発電機を制御する制御盤などの設備が複雑かつ大きくなった場合に、特許文献１に記載の街路灯では、設置領域が限られてしまい、制御盤などの設備を設置することができないおそれがある。そこで、特許文献２に示すように、かかる設備を地下に設置する埋設設備が提案されている。特許文献２の埋設設備は、制御盤などの設備本体の全体を上方から覆って収納する収納容器の下端部と上端部とをそれぞれ固定している。設備を設置する地下空間（ハンドホール）内が浸水した場合に、収容容器が押しのけた水の重量に相当する浮力が発生するため、収容容器を固定することにより、収容容器が浮き上がることを防止し、設備を浸水から保護するようになっている。
【０００３】
【特許文献１】特開２００４−０８７３４９号公報
【特許文献２】特開２０００−０２７２８４号公報
【発明の開示】
【発明が解決しようとする課題】
【０００４】
しかしながら、特許文献２の埋設設備は、収容容器を固定しなければならないため、設備を設置する地下空間が大きくなってしまい、また、浸水を防ぐため、収容容器の固定部分を強固にする必要があり、収容容器内の設備を操作する度に、固定部分を取外さなければならず、手間と時間とを必要としてしまう。
【０００５】
そこで、本発明の目的は、簡単な構造で制御機器を保護することができる制御機器の地下設置構造を提供することである。
【課題を解決するための手段及び効果】
【０００６】
本発明は、制御機器を保管する保管室と、制御機器を上方から覆うように被せることにより内部空間に収容し、内部空間に存在する空気により内部空間への水の進入を阻止するように形成された保護カバーとを有し、保護カバーは、保管室が冠水したときの浮力以上の重量に設定されている。これによると、保管室が冠水した場合に、制御機器が水にさらされることを阻止し、制御機器を保護することができる。保護カバーは、制御機器に被せるだけであるため、保管室が冠水した場合、保護カバーが押しのけた水の重量に相当する浮力が生じて浮き上がり、制御機器が水にさらされてしまう。しかし、保護カバーが浮力以上の重量に設定されているため、保護カバーが浮き上がることがなく、制御機器が水にさらされることを阻止することができる。
【０００７】
また、別の観点において、制御機器を保管する保管室と、制御機器を上方から覆うように被せることにより内部空間に収容し、内部空間に存在する空気により内部空間への水の進入を阻止するように形成された保護カバーとを有し、保護カバーは、制御機器の収容時に制御機器に連結され、制御機器との合計重量が、保管室が冠水したときの浮力以上の重量に設定されている。これによると、保管室が冠水した場合に、制御機器が水にさらされることを阻止し、制御機器を保護することができる。保護カバーと制御機器との合計重量が、保管室の冠水時に保護カバーに生じる浮力以上となるように設定されているため、保護カバーの材質を選択できる範囲を広げることができる。
【０００８】
また、本発明の保管室が、排水する排水手段を有していることが好ましい。これによると、保管室内に進入した水を排水することができるため、保管室の冠水を阻止することができる。この場合、排水手段が、水が排水方向とは逆に流れることを防止する逆流防止手段を有していてもよい。これによると、制御機器を逆流して水が、保護カバー内に浸入することを防ぐことができ、制御機器を保護することができる。また、本発明の保護カバーが固定されていてもよい。これによると、保管室が冠水した場合でも、保護カバーを確実に浮き上がらないようにすることができる。さらに、本発明の保管室が、密閉されていてもよい。これによると、保管室が冠水しにくくなる。
【０００９】
本発明の制御機器が、保護カバーの内部空間に存在する空気により内部空間への水の進入を阻止している位置より高い位置に設置されていることが好ましい。これによると、たとえ保護カバー内に水が進入した場合であっても、制御機器が水に浸かるおそれを少なくすることができ、浸水から制御機器を保護することができる。
【発明を実施するための最良の形態】
【００１０】
以下、本発明の好適な実施の形態について図面を参照しつつ説明する。
【００１１】
（第１実施形態）
本発明の制御機器の地下設置構造は、図１に示すような、街路灯１等に好適に用いられる。尚、本実施の形態では、本発明を街路灯に適用する場合について説明するが、街路灯に限定されることはなく、例えば、風力発電装置のような制御機器を必要とする装置等にも本発明を好適に用いることができる。街路灯１は、公園や道路沿い等に設置され、灯具１２と、ポール１３と、ソーラセル１４と、保管室３とを備えている。
【００１２】
ポール１３は、灯具１２やソーラセル１４を支持し、地面に対して略垂直となるように埋設されており、ポール１３の埋設部分は、台風などの強風に耐えうる強度でコンクリート１５により固定されている。また、ポール１３は、図示しないが、内部に灯具１２やソーラセル１４、後述の制御機器１０の夫々を接続する配線が通すことができるような空間を有している。尚コンクリート１５の上面は、グランドレベルと同じ位置となっている。
【００１３】
灯具１２は、ポール１３の上方に設置され、夜間等暗い場所を照らす照明器具であり、蛍光灯や、白色ＬＥＤなどから構成されている。白色ＬＥＤは、例えば、青色発光ダイオードの表面にＹＡＧ系の蛍光体を塗布して形成されており、青色光の一部が蛍光体層を透過し、残りが蛍光体に衝突して黄色光となったときの混合色（白色）を出射するように構成されている。また、灯具１２が白色ＬＥＤである場合には、照明を人体に感知されない間隔でオンオフを繰り返し、ある情報データをオンオフに含ませるようにしてもよい。この場合、街路灯１の近くにいる通行人が、この情報データを受信することにより、さまざまな情報を入手することができる。
【００１４】
ソーラセル１４は、ポール１３の上端部に設置された太陽発電装置であり、ソーラセル１４の下方に設置されている灯具１２が必要とする電力を発生させている。街路灯１がソーラセル１４の発電機を有することにより、灯具１２に必要な電力を供給する電線などを外部から配線する必要がなくなる。また、万一災害などで停電した場合であっても、灯具１２を使用することができる。尚、このような発電装置は、風力や水力その他の自然エネルギーを利用するものであってもよい。
【００１５】
保管室３は、ポール１３近傍で、コンクリート１５に形成された、一部が開口した略四角形状又は円筒状の空所であり、灯具１２及びソーラセル１４を制御する制御機器１０が設置されている。また、制御機器１０は、台１１に載置されており、保管室３（空所）の底面から隔離するように設置されている。具体的には、制御機器１０が、保護カバー２の内部空間に存在する空気により内部空間への水の進入を阻止している位置より高い位置となるように設置されている。ここで、制御機器１０は、灯具１２を制御する制御手段、ソーラセル１４で発電された電力を充電する蓄電池などの充電手段、ソーラセル１４の発電量を調節する調節手段などである。また、図示しないが、コンクリート１５には、保管室３の底面からポール１３の内部へとつながる空隙が設けられており、制御機器１０、灯具１２及びソーラセル１４を夫々接続する配線を通すことができるようになっている。
【００１６】
保管室３には、内部が空洞で、一部が開口した略正方形を有する保護カバー２が、開口部分と保管室３の底面とが密着するように設置されている。また、保護カバー２は、制御機器１０を上方から覆うように被せることで、制御機器１０を内部空間に収容し、内部空間に存在する空気により開口部分から内部空間に水が進入することを阻止できるようになっている。さらに、保護カバー２は、保管室３が冠水したときに生じる浮力によって浮上しないように、十分大きな重量、つまり、保護カバー２にかかる浮力以上の重量を有する材料から構成されている。
【００１７】
具体的には、物体に働く浮力の大きさは、物体が押しのけた流体（水）の重さに等しく、水の比重は１[ｇ／ｃｍ３]であるので、保護カバー２の体積をｃ、質量をｈとした場合、ｈ＞ｃを満たすつまり、保護カバー２の比重γが、γ＝ｈ／ｃ＞１を満たすような材料から保護カバー２が構成されている。尚、保護カバー２は、腐食等を防止するように加工されていることが好ましい。
【００１８】
また、保護カバー２は、保管室３と略同じとなるような大きさ、つまり、保管室３と保護カバー２との間にほとんど隙間が介在しなくなるようになっている。これにより、保管室３が冠水した場合の水量が少なくなり、後述の排水構造５を設けることで、保管室３内に存在する水量を極力少なくすることができ、それにより、保護カバー２に生じる浮力を小さくすることができるようになっている。
【００１９】
保管室３の底面には、排水構造５が設けられている。排水構造５は、保護カバー２の内側と、保護カバー２と保管室３との間の隙間との両方に水の排出孔を有している。これにより、保管室３が冠水することを防止できると同時に、保護カバー２の内部空間に進入した水を排出できるようになっている。また、排水構造５には、逆流を防止する逆流防止弁５ａ（逆流防止手段）が設けられている。逆流防止弁５ａは、例えば、逆流した場合に、逆流の圧力で弁が蓋されるような構造となっている。これにより、保護カバー２内に排水構造５からの水の進入を防ぐことができるようになっている。尚、排水構造５は、保管室３の底面に排水孔を設けるだけであってもよいし、ポンプ等により排水するものであってもよい。
【００２０】
さらに、保管室３の開口部分は、保管室３を密閉するための蓋４を有している。蓋４は、開閉可能に設置されている。蓋４は、保管室３に載置するだけのものであってもよいし、一端を回動可能に固定し、他端を開閉できるように設置してもよい。蓋４で保管室３を密閉することで、外部から保管室３内に水が進入することを阻止することができる。
【００２１】
次に、本実施の形態の地下設置構造の保管室３が冠水した場合について具体的に説明する。
【００２２】
保管室３は、蓋４により密閉されているため、水が保管室３に進入することを阻止しているが、激しい雨や洪水などで保管室３内に水が進入する場合がある。このような場合、少しずつ水が進入し、保管室３が冠水していくと、保護カバー２には、浮力が生じる。保護カバー２は、上述したように、浮力以上の重量となる材料から構成されているため、保管室３が冠水しても浮き上がらないようになっている。保護カバー２は、制御機器１０に被せるだけであるため、保管室３が冠水した場合、保護カバーに浮力が生じて浮き上がり、制御機器が水にさらされてしまうが、保護カバー２が浮力以上の重量に設定されているため、保護カバーが浮き上がることがなく、制御機器１０が水にさらされることを阻止することができるようになっている。
【００２３】
また、例えば、地震などにより激しい揺れが発生し、保護カバー２がわずかに浮き上がり、内部空間に水が進入した場合でも、保護カバー２の内部空間にある空気により、あるレベル以上に水が上がらなく、かつ、制御機器１０が台１１に載置され、保管室３の底面から隔離して設置されているため、制御機器１０が水に浸かることを阻止することができるようになっている。そして、保護カバー２内のあるレベルまで水が進入した場合でも、排水構造５が保護カバー２の内側に設けられているため、速やかに排出することができ、制御機器１０を保護できるようになっている。さらに、保護カバー２の内部空間の空気により排水構造５から水が逆流して保護カバー２の内部に水が進入することを阻止することができるようになっている。
【００２４】
また、排水構造５が、保管室３と保護カバー２との間の隙間部分にも設けられているため、保管室３の冠水した場合であっても、速やかに排水することができるようになっている。さらに、保管室３と保護カバー２との間の隙間部分がほとんどないため、排水構造５から排水することで保管室３内の水量がほとんど存在しなくなり、保護カバー２にかかる浮力を小さくすることができるようになっている。これにより、保護カバー２が浮き上がることを阻止することができるようになっている。
【００２５】
次に、本実施の形態の地下設置構造の設置工程について説明する。
【００２６】
まず、街路灯１を設置したい場所を掘削し、掘削部分にポール１３を埋設する。このとき、ポール１３が、強風などに耐え得る強度となるようにコンクリート１５によりポール１３の周囲を固定するように埋設する。そして、ポール１３の近傍に空所を設け保管室３及び排水構造５を形成する。尚、保管室３及び排水構造５は、コンクリート１５を掘削して形成してもよいし、ポール１３を固定する際に、予め作製した保管室３と排水構造５とを設置し、ポール１３と同時にコンクリート１５で固定してもよい。その後、台１１に載置して制御機器１０を設置し、さらに、保護カバー２を被せる。最後に、保管室３を密閉するように蓋４を設置する。尚、図５に示すように、予めポール１３、コンクリート１５、保管室３及び排水構造５を形成したものを埋設するだけであってもよい。
【００２７】
以上、説明したように、本実施の形態は、制御機器１０を保管する保管室３と、制御機器１０を上方から覆うように被せることにより内部空間に収容し、内部空間に存在する空気により内部空間への水の進入を阻止するように形成された保護カバー２とを有し、保護カバー２は、保管室３が冠水したときの浮力以上の重量に設定されている。
【００２８】
これによると、保管室３が冠水した場合に、制御機器１０が水にさらされることを阻止し、制御機器１０を保護することができる。保護カバー２は、制御機器１０に被せるだけであるため、保管室３が冠水した場合、保護カバー２に浮力が生じて浮き上がり、制御機器１０が水にさらされてしまう。しかし、保護カバー２が浮力以上の重量に設定されているため、保護カバー２が浮き上がることがなく、制御機器１０が水にさらされることを阻止することができる。
【００２９】
また、本発明の保管室３が、排水する排水手段５を有しているため、保管室の冠水を阻止することができる。また、保管室３が、密閉されていているため、保管室が冠水しにくくなっている。この場合に、逆流防止弁５ａが設けられており、保護カバー２内への水の進入を防止することができる。さらに、制御機器１０が、保護カバー２の内部空間に存在する空気により内部空間への水の進入を阻止している位置より高い位置に設置されているため、たとえ保護カバー内に水が進入した場合であっても、水に浸かるおそれを少なくすることができ、保護することができる。
【００３０】
また、本発明を好適な実施の形態に基づいて説明したが、本発明はその趣旨を超えない範囲において変更が可能である。即ち、図２に示すように、保護カバー２が確実に浮き上がらないように、浮上防止レバー６を設けるようにしてもよい。具体的には、保管室３の側壁の、保護カバー２の上面と略同じ高さに凹部を設け、棒状の浮上防止レバー６を挿設して、保護カバー２が浮上した場合に、保護カバー２の上面を受止めて、保護カバー２が浮上しなようにしてもよい。また、図示しないが、水平方向に動かないように固定してもよい。
【００３１】
さらに、図４に示すように、ポール１３に風力発電１６を設置するようにしてもよい。例えば、日中が風雨などによりソーラセル１４で十分に発電できない場合であっても、風力発電１６を備えることにより、外的環境の変化に応じて、発電することができる。
【００３２】
また、保管室３は、蓋４により密閉されていなくてもよいし、排水構造５を有していなくてもよい。制御機器１０は、保管室３の底面から隔離して設置されていなくてもよい。保護カバー２や保管室３等の形状などは上述の実施の形態に限定されることはない。また、逆流防止弁５ａは、設置していても設置していなくてもよい。
【００３３】
（第２の実施形態）
次に、本発明の第２の実施の形態にかかる地下設置構造について説明する。本実施の形態は、保護カバー２と制御機器１０とが連結されている点で、第１の実施の形態と相違している。具体的には、図３に示すように、保護カバー２の内壁面にＬ字型に突出した凸部が設けられている。そして、台７は、端部が保護カバー２の凸部と嵌合するように下にＬ字型に折れ曲がった平面板形状を有している。かかる嵌合部分は、保護カバー２及び制御機器１０を水平方向に少しずらすことで、取り外しできるようになっている。そして、台７に制御機器１０が載置されている。これにより、保護カバー２と制御機器１０とが連結し、一体化するようになっている。
【００３４】
また、一体となった保護カバー２と制御機器１０との合計重量は、保管室３が冠水した場合に保護カバー２に生じる浮力以上となるように設定されている。これにより、保管室３が冠水した場合であっても、保護カバー２が浮き上がることがなく、また、地震などの揺れにより浮き上がった場合でも、制御機器１０も保護カバー２と共に浮き上がるため、制御機器１０が水に浸からないようになっている。また、保護カバー２と制御機器１０とを連結することで、保護カバー２の材料を選択できる範囲を広げることができるようになっている。例えば、保護カバー２と制御機器１０との合計重量が、保護カバー２にかかる浮力よりも大きければ、軽く腐食しにくい樹脂製の材料であってもよい。
【００３５】
以上、説明したように、本実施の形態は、制御機器１０を保管する保管室３と、制御機器１０を上方から覆うように被せることにより内部空間に収容し、内部空間に存在する空気により内部空間への水の進入を阻止するように形成された保護カバー２とを有し、保護カバー２は、制御機器１０の収容時に制御機器１０に連結され、制御機器１０との合計重量が、保管室３が冠水したときの浮力以上の重量に設定されている。これによると、保管室３が冠水した場合に、制御機器１０が水にさらされることを阻止し、制御機器３を保護することができる。保護カバー２と制御機器１０との合計重量が、保管室３の冠水時に保護カバーに生じる浮力以上となるように設定されているため、保護カバー２の材質を選択できる範囲を広げることができる。
【００３６】
本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００３７】
【図１】本発明の第１の実施形態にかかる地下設置構造を有する街路灯の概略図。
【図２】本発明の第１の実施形態にかかる地下設置構造の変形例である、図１に描かれた保管室を固定する場合の概略図。
【図３】本発明の第２の実施形態にかかる地下設置構造を有する街路灯の概略図。
【図４】本発明の第１の実施形態の変形例である、風力発電装置を有する街路灯の概略図。
【図５】本発明の第１の実施形態にかかる地下設置構造の設置方法の変形例を示す図。
【符号の説明】
【００３８】
１    街路灯
２    保護カバー
３    保管室
４    蓋
５    排水構造
５ａ  逆流防止弁
１０    制御機器
１１    台
１２    灯具
１３    ポール
１４    ソーラ
１５    コンクリート
【図１】
2005327759.tif 000003
【図２】
2005327759.tif 000004
【図３】
2005327759.tif 000005
【図４】
2005327759.tif 000006
【図５】
2005327759.tif 000007